(57)【要約】      （修正有）【課題】手間のかかる操作を行わなくても飲み口を容易に着脱できる飲料容器の栓体を提供する。【解決手段】飲み口６は栓本体に着脱可能に取り付けられ、飲み口６を栓本体に対して上下方向に移動しないように係止する規制体１５が飲み口６から出退可能に設けられ、規制体１５を突出方向に付勢する弾性片が設けられ、規制体１５の突出状態で栓本体の内壁５ｃに係止する。規制体１５は、飲み口６の左右両側に設けられ、これらの規制体１５を左右両側から挟むように持つことにより、規制体１５が飲み口６の凹部１４に後退して、栓本体の内壁５ｃから離脱する。これにより、飲み口６を栓本体から容易に外すことができる。【選択図】図６
0003224167.tif 000002
【実用新案登録請求の範囲】
【請求項１】
容器本体に着脱可能に取り付けられる飲料容器の栓体であって、容器本体の開口縁部に被着される筒状の栓本体と、栓本体の内壁に着脱可能に取り付けられる飲み口とを備え、飲み口を栓本体の内壁に対して着脱可能に係止する左右両側の規制体が、飲み口の外周面の凹部に出退可能に収納され、各規制体を飲み口の外周面から突出する方向に付勢する弾性片が設けられ、
飲み口の栓本体への装着時に、飲み口を栓本体に対して下側から挿入することにより、規制体が栓本体に当接して、弾性片の付勢力に抗して凹部内に退き、栓本体の上下方向の所定位置で飲み口は弾性片の付勢力により栓本体の内壁に係止され、
飲み口の栓本体からの取り外し時に、左右両側の規制体を弾性片の付勢力に抗して半径方向に近付けることにより、規制体が栓本体の内壁から離れ、飲み口を栓本体に対して下方向に移動させることにより、飲み口が栓本体から離脱されることを特徴とする飲料容器の栓体。
【請求項２】
栓本体は、容器本体の外筒に被着される外壁と、その上端縁部を内側に折り返して容器本体の内側に被着される内壁とを備え、内壁には２つの規制体を上下方向に案内する縦溝が形成され、規制体は栓本体の上端縁部に係脱可能に係止される、請求項１に記載の飲料容器の栓体。
【請求項３】
飲み口の外周面において、上下方向の中間部に半径方向外側に突出する外周フランジが形成され、この外周フランジが栓本体の内壁の下端に当接して飲み口の上方への移動を阻止する、請求項１又は２に記載の飲料容器の栓体。
【請求項４】
外周フランジは、飲み口の外周面に形成された凹部以外の部分に形成され、凹部に収容される規制体の下部には、栓本体の内壁の下端縁に当接して飲み口の上方向への移動を阻止する阻止部が形成されている、請求項１〜３のいずれかに記載の飲料容器の栓体。
【請求項５】
各規制体は、栓本体の上端縁部に係合して飲み口の下方への移動を阻止するフックを有し、該フックは、上部側が外側に膨らんだ頭部と、中間の胴部と、胴部の下方に位置する脚部とを備え、頭部と胴部との境界部には、栓本体の上端縁部に係合する段差が形成され、頭部の中央に飲み口を栓本体から取り外すときに操作する摘み部が設けられた、請求項１〜４のいずれかに記載の飲料容器の栓体。
【請求項６】
摘み部が栓本体の内壁の縦溝に嵌合して上下方向に案内され、摘み部の両側には縦溝両側の内壁に沿って案内されるガイド部が形成され、ガイド部は、栓本体の内壁の下端から上方に案内しやすいように、上方に向かうほど栓本体の外壁側に向かう湾曲状の傾斜面が形成されている、請求項５に記載の飲料容器の栓体。
【請求項７】
フックの下端部が凹部に支軸周りに揺動可能に支持され、脚部の後側にフックを突出方向に付勢する弾性片が一体的に設けられた、請求項５又は６に記載の飲料容器の栓体。
【考案の詳細な説明】
【技術分野】
【０００１】
本考案は、着脱可能な飲み口を備えた飲料容器の栓体に関する。
【背景技術】
【０００２】
マグボトル等の携帯用の飲料容器では、上面が開口された金属製の容器本体の上部に飲み口を有する栓体が装着される。容器本体に取り付けられる栓本体に飲み口は上下方向に着脱可能に設けられ、飲み口を栓本体から下方へ外すと、飲み口を容易に洗浄することができる。特許文献１には、栓本体に対して飲み口が回動することにより、飲み口を栓本体に係止した状態と係止が解除された状態になることが記載されている。
【先行技術文献】
【特許文献】
【０００３】
【特許文献１】特開２０１５−９８３５２号公報
【考案の開示】
【考案が解決しようとする課題】
【０００４】
飲み口を栓本体に着脱するとき、飲み口を栓本体に対して出し入れする操作の他に飲み口を回動させる操作が必要となる。回動させるために、飲み口の下部を持たなければならないが、飲み口と栓本体との間の隙間が小さいと、飲み口を掴みにくく、しかも回動させにくい。そのため、飲み口を着脱するのに手間取るおそれがある。
【０００５】
本考案は、上記に鑑み、手間のかかる操作を行わなくても、飲み口を容易に着脱できる飲料容器の栓体の提供を目的とする。
【課題を解決するための手段】
【０００６】
本考案は、容器本体に着脱可能に取り付けられる飲料容器の栓体であって、容器本体の開口縁部に被着される筒状の栓本体と、栓本体の内壁に着脱可能に取り付けられる飲み口とを備え、飲み口を栓本体の内壁に対して着脱可能に係止する左右両側の規制体が、飲み口の外周面の凹部に出退可能に収納され、各規制体を飲み口の外周面から突出する方向に付勢する弾性片が設けられる。飲み口の栓本体への装着時に、飲み口を栓本体に対して下側から挿入することにより、規制体が栓本体に当接して、弾性片の付勢力に抗して凹部内に退き、栓本体の上下方向の所定位置で飲み口は弾性片の付勢力により栓本体の内壁に係止され、飲み口の栓本体からの取り外し時に、左右両側の規制体を弾性片の付勢力に抗して半径方向に近付けることにより、規制体が栓本体の内壁から離れ、飲み口を栓本体に対して下方向に移動させることにより、飲み口が栓本体から離脱される。
【０００７】
このように、弾性片の付勢力に抗して２つの規制体を左右両側から挟み込むように半径方向に近付けることにより、規制体を栓本体の内壁から離脱させ、飲み口を下方向に移動させることにより飲み口は栓本体から離脱可能とされる。これにより、飲み口を栓本体から容易に取り外すことができる。
【０００８】
栓本体は、容器本体の外筒に被着される外壁と、その上端縁部を内側に折り返して容器本体の内側に被着される内壁とを備え、内壁には２つの規制体を上下方向に案内する縦溝が形成され、規制体は栓本体の上端縁部に係脱可能に係止されるようになっている。そのため、飲み口の装着時には、規制体と縦溝とを合わせるだけで飲み口を栓本体の所定位置に容易に案内することができる。
【０００９】
飲み口の外周面において、上下方向の中間部に半径方向外側に突出する外周フランジが形成され、この外周フランジが栓本体の内壁の下端に当接して飲み口の上方への移動を阻止する。これにより、飲み口の上方への移動は外周フランジで規制され、飲み口の下方への移動は規制体により制限され、飲み口が栓本体に確実に保持される。
【００１０】
外周フランジは、飲み口の外周面に形成された凹部以外の部分に形成され、凹部に収容される規制体の下部には、栓本体の内壁の下端縁に当接して飲み口の上方向への移動を阻止する阻止部が形成されている。これにより、飲み口の外周フランジのみならず、規制体の下部も栓本体の内壁の下端縁に当接するので、飲み口を確実に栓本体に係止することができる。
【００１１】
各規制体は、栓本体の上端縁部に係合して飲み口の下方への移動を阻止するフックを有し、該フックは、上部側が外側に膨らんだ頭部と、中間の胴部と、胴部の下方に位置する脚部とを備え、頭部と胴部との境界部には、栓本体の上端縁部に係合する段差が形成され、頭部の中央に飲み口を栓本体から取り外すときに操作する摘み部が設けられている。これにより、段差が栓本体の内壁に係止され、胴部が内壁に接触する。規制体を栓本体の内壁に密接させることができる。
【００１２】
摘み部が栓本体の内壁の縦溝に嵌合して上下方向に案内され、摘み部の両側には縦溝両側の内壁に沿って案内されるガイド部が形成され、ガイド部は、栓本体の内壁の下端から上方に案内しやすいように、上方に向かうほど栓本体の外壁側に向かう湾曲状の傾斜面が形成されている。したがって、ガイド部により規制体を栓本体の内壁に上下方向に移動するのを案内することができ、飲み口の装着作業を容易に行うことができる。
【００１３】
フックの下端部が凹部に支軸回りに揺動可能に支持され、脚部の後側にフックを突出方向に付勢する弾性片が一体的に設けられている。これにより、別体の弾性片を設ける必要がなく、簡単な構成により、規制体を飲み口の外周面から突出する方向に付勢することができる。
【考案の効果】
【００１４】
本考案によると、規制体だけで飲み口を栓本体に係止することができ、規制体に対する操作を行うことにより飲み口を栓本体から外すことが可能となる。したがって、簡単な構造で飲み口を着脱することができる飲料容器を提供することができる。
【図面の簡単な説明】
【００１５】
【図１】本考案の飲料容器の斜視図
【図２】蓋が開いた飲料容器の斜視図
【図３】蓋が開いた飲料容器の部分断面図
【図４】蓋を閉じた栓体の断面図
【図５】飲み口を取り付けた栓体の断面図
【図６】飲み口が外された栓体の分解斜視図
【図７】栓本体の斜視図
【図８】後側から見た規制体の斜視図
【図９】前側から見た規制体の斜視図
【図１０】飲み口の斜視図
【図１１】斜め前から見たロック機構の斜視図
【図１２】ロック機構の断面図
【図１３】ロック機構の背面図
【図１４】斜め後ろから見たロック機構の斜視図
【図１５】操作レバーの斜視図
【図１６】操作レバーを開状態にした栓体の断面図
【図１７】蓋のロックを解除したときの栓体の断面図
【考案を実施するための最良の形態】
【００１６】
本実施形態の飲料容器は、図１〜図３に示すように、上面が開口された有底筒状の容器本体１と、容器本体の上部に装着され容器本体上端の開口を覆う栓体２とから構成される。容器本体１は、内筒と外筒の開口端部の縁を一体に接合した金属製のものであって、内筒と外筒との間の空間を真空の断熱層となした断熱二重構造とされる。また、外筒の上部外周には、栓体２を螺着するための雄ねじが形成される。
【００１７】
栓体２は、図４〜図６に示すように、容器本体１の外筒の上部外周を囲繞するように設けられた筒状の栓本体５と、容器本体１の開口を塞ぐ飲み口６と、飲み口６を開閉する蓋７とから構成される。栓本体５は、図７に示すように、筒状に形成された外壁５ａと、その外壁５ａの上端縁部５ｂから内側に逆Ｕ字状に折り返し形成された内壁５ｃとを有する。内壁５ｃは、外壁５ａよりも低く形成され、後述するように、飲み口６を栓本体５に係合して保持する機能を備えている。
【００１８】
栓本体５の外壁５ａの内側には雌ねじが形成され、この雌ねじが容器本体１の外筒の雄ねじに螺着することで、栓本体５が容器本体１の開口端部に装着される。栓本体５の外壁５ａと内壁５ｃとの間に形成された隙間に、容器本体１の開口端部が挿入される。栓本体５の内壁５ｃの内側には飲み口６が配設される。
【００１９】
飲み口６は、栓本体５に対して着脱可能に嵌め合わされた着脱式のものが採用されている。飲み口６は、図３、４に示すように、中間部分を仕切壁８で塞がれた筒状に形成され、仕切壁８の前側寄りに連通孔９が形成される。飲み口６は栓本体５よりも上下方向に長く形成され、飲み口６の上部および下部は栓本体５から上下にそれぞれ突出している。飲み口６の外周面の下部に、上下一対のシール用フランジが形成され、両フランジ間に環状のシール材１０が装着される。シール材１０は容器本体１の上部の内周面に密着して、容器本体１の開口が密閉される。このとき、容器本体１の内部と外部とは、飲み口６の仕切壁８に形成された連通孔９により連通される。
【００２０】
蓋７は、図３および図６に示すように、飲み口６を覆うように飲み口６よりも大径に形成される。蓋７には連通孔９を塞ぐための栓部１１が設けられ、栓部１１にパッキン１２が被せられている。栓部１１は、蓋７の内面側に突設され、飲み口６内に入り込む大きさとされる。この構成によると、蓋７が閉じた状態のとき、栓部１１が飲み口６内に入り込み、パッキン１２が連通孔９の周縁に密着して、連通孔９が密閉される。
【００２１】
蓋７は、図２、図３および図６に示すように、栓本体５の上端縁部５ｂに形成された保持部３１によりヒンジ軸３０を介して回動可能に設けられる。蓋７を開くと、飲み口６が現れ、蓋７を閉じると、飲み口６が隠れる。蓋７を閉じたとき、蓋７は前側のロック機構１３によりロックされ、閉状態に維持される。また、栓本体５の後側の上端縁部５ｂには、ヒンジ軸３０を回動可能に保持する保持部３１が上方に向かって突設される。この保持部３１に対応して蓋７の後側には軸受３２が形成され、この軸受３２にヒンジ軸３０の左右の端部が嵌められる。保持部３１には、ねじりコイルばね（図示せず）が取り付けられ、蓋７は、ねじりコイルばねにより開く方向に付勢される。
【００２２】
ロック機構１３は、栓体２の前側に設けられ、蓋７が開かないように、ねじりコイルばねの付勢力に抗して蓋７を閉じた状態に保持する。図３、４に示すように、ロック機構１３は、蓋７を係止してロックする回動可能なロック体３３と、ロック体３３を回動操作するための操作レバー３４とから構成される。ロック体３３は、栓本体５の外壁５ａの前側に固定軸３６周りに回動可能に設けられる。開閉する操作レバー３４はロック体３３の下部に取付軸５０を介して回動可能に設けられる。操作レバー３４は、取付軸５０を中心として回動可能とされると共に、その開状態でロック体３３と一体となって固定軸３６周りに回動可能となる。ロック体３３が回動すると、その先端の係止爪４０が蓋７の被係止部４１から外れ、蓋７のロックが解除され、蓋７が開く。操作レバー３４がロック体３３に収容された閉状態のとき、ロック体３３は、後述する規制ピン５８により回動が不可能な状態に保持され、蓋７は開かない。
【００２３】
ロック体３３は、図１１〜１５に示すように、その外面側が枠状に形成され、その枠内に操作レバー３４が収容されている。ロック体３３は、図７に示すように、栓本体５の前側に形成された保持枠３５内に固定軸３６を介して保持される。保持枠３５は、左右一対の側壁によって形成され、ロック体３３の左右外側に突出する固定軸３６が保持枠３５に取り付けられる。固定軸３６は、ロック体３３の下部に挿着され、固定軸３６の左右の両端が保持枠３５に形成された軸孔３７に嵌め込まれる。固定軸３６の一端には、抜け止め用の溝３８が形成されている。
【００２４】
ロック体３３の上部の内側に、係止爪４０が左右方向に長く形成される。蓋７の前側に、係止爪４０に係止される係止突起４１が形成される。係止突起４１は、係止爪４０に対向して左右方向に長く形成される。ロック体３３の下部に開口３３ａが形成される。この開口３３ａの下端縁に、操作レバー３４が当接して一体的に回動するための棒状の当接部４２が設けられている。この当接部４２は左右方向にわたって形成される。
【００２５】
ロック体３３の下端部後面と栓本体５の外壁５ａとの間にコイルばね４３が介設され、ロック体３３を係止爪４０の係止方向に付勢される。コイルばね４３は、当接部４２の後面に突設された左右一対のピン４４に嵌め込まれている。当接部４２と係止爪４０は固定軸３６を挟んで上下に配置される。当接部４２がコイルばね４３に付勢されることにより、係止爪４０が栓本体５に当接するように押し付けられる。係止爪４０が係止突起４１を押さえつけて、蓋７が開かないように係止される。
【００２６】
また、蓋７には、係止突起４１の上方に、係止爪４０の上部を覆う保護枠４５が形成されている。蓋７が閉じているとき、不用意に係止爪４０に触れないように保護する。保護枠４５は左右の保持枠３５につながるように湾曲して形成されているので、デザイン的に一体感が得られる。また、左右の保持枠３５の間には、液垂れ防止壁４６（図７参照）が係止突起４１の下方に位置するように形成され、流れ落ちてきた飲料が保持枠３５内に入らないようにせき止められる。保持枠３５の下部には、目隠し壁４７が形成され、保持枠３５とロック体３３との間に異物が入らないようにされている。
【００２７】
操作レバー３４は、ロック体３３の枠内に取付軸５０を介して取り付けられる。取付軸５０は、固定軸３６の下方で、かつ固定軸３６の前方に位置する。すなわち、取付軸５０は、固定軸３６の斜め下前方に接近した位置に配置される。さらに、取付軸５０は、ロック体３３の当接部４２よりも上方に位置する。ロック体３３の上部の外側が凹むように形成され、この凹みが操作レバー３４を収容する収容部５１とされる。収容部５１の壁面と操作レバー当接部４２の前面とは面一とされる。
【００２８】
操作レバー３４の先端部では、外表面が滑らかな面とされ、裏面に凹凸部５２が形成される。操作レバー３４の基部に円筒部５３が形成される。この円筒部５３はロック体３３の開口３３ａに臨み、その後部がロック体３３の開口３３ａ内に位置する。取付軸５０は、円筒部５３内を貫通して、ロック体３３に形成された左右両側の軸孔５４に保持される。操作レバー３４は、図４に示すようなロック体３３に収容された閉状態から図６及び図１６に示すようなロック体３３から突出した開状態に回動可能とされる。
【００２９】
操作レバー３４は、閉状態のままロック体３３に保持される。円筒部５３の後面側に、横長の小溝５５が形成され、ロック体３３の下部の開口３３ａ内に、円筒部５３に接触する保持爪５６が弾性変形可能に設けられる。小溝５５は、円筒部５３の左右方向の中央に位置し、保持爪５６は、開口３３ａの下端縁を形成する当接部４２の左右方向中央に配され、後傾するように突設される。操作レバー３４が閉状態にあるとき、操作レバー３４の円筒部５３の小溝５５に保持爪５６が嵌る。保持爪５６は自身の弾性力およびコイルばね４３の付勢力により円筒部５３に押し付けられる。これにより、操作レバー３４は、自重や衝撃などによって開かず、閉状態に保持される。
【００３０】
操作レバー３４の先端部とロック体３３の上部枠との間には指先を挿入可能な空間（開口）があり、さらに、操作レバー３４の先端裏側に基部側に凹む段差がある。また、ロック体３３の収容部５１の上部はなだらかに傾斜するように形成されており、上記開口、操作レバー先端の段差、および収容部５１のなだらかな傾斜によって操作レバー３４の先端部とロック体３３の上部枠との間の開口に指先を入れやすくなっている。したがって、操作レバー３４の上端に指を引っ掛けて、操作レバー３４を手前に引くことにより、操作レバー３４を下方向に向かって回動させることができる。操作レバー３４が回動すると、操作レバー３４の基部にある円筒部５３が回動することになり、ロック体３３側の保持爪５６が撓んで小溝５５から外れ、操作レバー３４を開くことができる。
【００３１】
一方、操作レバー３４の円筒部５３の前面側には、小溝５５よりも大きい横長の大溝５７が形成されている。この大溝５７は、円筒部５３の左右方向にわたって形成され、操作レバー３４の下回動時に規制ピン５８の侵入を許して、操作レバー３４のさらなる下回動を許容する大きさに設定されている。
【００３２】
図７に示すように、栓本体５の保持枠３５内に左右一対の規制ピン５８が突設されている。一対の規制ピン５８は、ロック体３３の開口３３ａに合わせて枠本体５の外壁５ａから突出し、円筒部５３の小溝５５よりも左右方向で外側にある円筒部５３に対向して配置される。ロック体３３の保持爪５６は、左右の規制ピン５８の間に位置し、小溝５５に対向している。規制ピン５８は、操作レバー３４の円筒部５３の大溝５７に侵入可能な位置に配置される。
【００３３】
操作レバー３４が閉状態にあるとき、規制ピン５８は円筒部５３の後側に対向している。このとき、操作レバー３４の円筒部５３が後方に押されると、ロック体３３は固定軸３６周りに係止爪４０を係止突起４１から外れる前方向に回動しようとするが、操作レバー３４の円筒部５３の後方には規制ピン５８があるので、この規制ピン５８に円筒部５３が当接する。そのため、ロック体３３の当接部４２は少しだけ内側に向かって押されるだけである。すなわち、規制ピン５８により、ロック体３３を押せないように操作レバー３４の動きが規制される。ロック体３３は回動しないので、ロック体３３の係止爪４０は蓋７の係止突起４１に係止されたままとなり、蓋７のロックは解除されない。したがって、蓋７が閉まっているときに、操作レバー３４が押されてもロックは解除されず、蓋７が不用意に開くことを防止できる。
【００３４】
閉状態の操作レバー３４を開くように回動操作をすると、操作レバー３４の前面に設けられた押圧部５９がロック体３３の当接部４２に当接し、操作レバー３４が開状態となる（図１６参照）。このとき、操作レバー３４の凹凸部５２が前側を向き、規制ピン５８は大溝５７に対向する。そして、凹凸部５２は押圧部５９および当接部４２よりも下方に位置する、すなわち押圧部５９よりも取付軸５０から遠くに位置する。そのまま、操作レバー３４の凹凸部５２を押すと、図１７に示すように、操作レバー３４がさらに下回動し、コイルばね４３の付勢力に抗してロック体３３の当接部４２が操作レバー３４の押圧部５９により後側に押される。
【００３５】
このとき、操作レバー３４の円筒部５３が栓本体５の外壁５ａ側に近付くが、外壁５ａから前方に突出する規制ピン５８が円筒部５３の大溝５７に入り込み、操作レバー３４の回動を妨げない。よって、ロック体３３が固定軸３６を中心に回動し、その係止爪４０が前方に移動して、蓋７の係止突起４１から離れる。蓋７のロックが解除されると、蓋７は、ねじりコイルばねの付勢力により開く。操作レバー３４から指を離して回動操作をやめると、図３に示すように、コイルばね４３の付勢力によりロック体３３の当接部４２が押し戻され、ロック体３３は元の状態に戻り、操作レバー３４は開状態に戻る。
【００３６】
開状態の操作レバー３４の先端を押し上げるように上回動すると、操作レバー３４は取付軸５０周りに上回動してロック体３３に収容された閉状態になる。この状態で、蓋７を閉めると、係止突起４１がロック体３３の係止爪４０に当たり、ロック体３３の上部が前側に向かって押し出される。そして、蓋７が閉じると、コイルばね４３の付勢力によってロック体３３が回動し、係止突起４１に係止爪４０が嵌り、蓋７が閉状態でロックされる。
【００３７】
上記のように、操作レバー３４に対して回動操作を行うだけで、蓋７のロックを解除して、蓋７を開くことができる。すなわち、指先だけで操作レバー３４の回動操作を行えるので、簡単な操作で蓋７のロック解除から開放まで行え、使い勝手がよくなる。また、蓋７を開けるとき、ロック体３３の係止爪４０と当接部４２とが固定軸３６を挟んで上下に位置するようになっているので、係止爪４０が作用点、固定軸３６が支点、当接部４２が力点となる。操作レバー３４の押圧部５９を通じて当接部４２に力を加えると、当接部４２と操作レバー３４とが一体となり、操作レバー３４の先端が力点として機能することになる。よって、力点となる操作レバー３４の先端と支点となる固定軸３６との距離が長くなり、てこの原理を利用して小さな力でロック体３３を回動でき、ロックを解除することが容易に行える。
【００３８】
すなわち、取付軸５０が固定軸３６よりも下方に位置し、操作レバー３４の凹凸部５２が押圧部５９よりも取付軸５０から離れた位置にあるので、間接的に力点が支点から遠い位置となり、小さな力でロック体３３を回動させることができ、蓋７の開放を容易に行うことができる。
【００３９】
次に、着脱式の飲み口６について説明する。筒状の飲み口６は、栓本体５の筒状の内壁５ｃに対して上下方向に移動可能に内嵌されている。ただし、飲み口６の上下方向で中間部の外周壁には、半径方向外側に突出する外周フランジ６ａが形成され、この外周フランジ６ａが栓本体５の内壁５ｃの下端に下方から当接して、飲み口６の上方への移動を規制するようにしている。さらに、飲み口６の外周面の左右両側には、外周フランジ６ａの一部を取り除いて凹状に形成された凹部１４が形成され、この凹部１４に飲み口６を栓本体５に対して下方に移動しないように規制する規制体１５が収容される。規制体１５は左右一対に設けられる。各規制体１５は、支軸１６周りに揺動可能に支持され、凹部１４から半径方向外側へ突出可能とされる。
【００４０】
各規制体１５は、図８および図９に示すように、栓本体５の上端縁部に係合して飲み口６の下方への移動を阻止するフック１７と、このフック１７を飲み口６の半径方向外側に付勢する弾性変形可能な弾性片１８とを備えている。
【００４１】
フック１７は、上部側が外側に膨らんだ頭部１７ａと、中間の胴部１７ｂと、二股の脚部１７ｃとを有する。頭部１７ａと胴部１７ｂとの境界部には、栓本体５の上端縁部５ｂに係合する段差１７ｄが形成されている。頭部１７ａは、その前後方向中央に飲み口６を栓本体５から取り外すときに、規制体１５を飲み口６の凹部１４側に後退させるよう操作する摘み部２１を有している。
【００４２】
栓本体５の内壁５ｃには、飲み口６を栓本体５に取り付ける際に摘み部２１を挿入して上下方向への移動を案内する縦溝２２が形成されている。摘み部２１の両側に、縦溝２２の両側の内壁５ｃに沿って案内されるガイド部１７ｅが形成されている。このガイド部１７ｅは、栓本体５の内壁５ｃの下端から上方に案内しやすいように、上方に向かうほど栓本体５の外壁側に向かう湾曲状の傾斜面とされている。ガイド部１７ｅの下端に位置する段差１７ｄは、栓本体５の上端縁部５ｂに形成された凹状の段部２５に係止される。
【００４３】
前後に配された脚部１７ｃの各下端部には、凹部１４にフック１７の下端部を揺動可能に支持するための軸受部２６が形成されている。軸受部２６の軸孔２７には、飲み口６の凹部１４の側壁に突設された支軸１６が差し込まれる。これにより、規制体１５が支軸１６周りに揺動可能とされる。軸受部２６の背面側に、二股の脚部１７ｃのわずかな弾性により軸孔２７に支軸１６を無理嵌めできるようにテーパ面２６ａが形成されている。また、軸受部２６は、凹部１４より外側にわずかに突出して、飲み口６の外周フランジ６ａと共に、栓本体５の内壁５ｃに当接して、飲み口６の上動を規制するようになっている。
【００４４】
軸受部２６の後側には、前後方向からみて脚部１７ｃとによりＶ字状になるように弾性片１８が一体的に形成されている。この弾性片１８は、凹部１４の後壁に当接して、フック１７を外側に付勢するように機能する。したがって、凹部１４に収容されたフック１７の頭部１７ａは、支軸１６周りに飲み口６の半径方向外側に突出するよう付勢される。
【００４５】
図５に示すように、フック１７の胴部１７ｂは栓本体５の内壁５ｃの内周面に接触する。図６、７に示すように、栓本体５の内壁５ｃの左右両側には、規制体１５の摘み部２１が通る縦溝２２が形成されており、摘み部２１が縦溝２２に沿って上下方向に移動可能とされる。また、栓本体５の内壁５ｃの後側にはガイド溝２３が形成される。このガイド溝２３には、栓本体５の後側の外周面に突設されたリブ２４（図３参照）が上下方向に移動可能に嵌合される。これらの溝２２，２３により、飲み口６を栓本体５に対して着脱するとき、飲み口６がガイドされる。
【００４６】
飲み口６を栓本体５から外すとき、左右両側の２つの規制体１５の摘み部２１を両側から挟むように持つ。そうすると、フック１７が栓本体５の段部２５から離れる半径方向内側に移動して、栓本体５によるフック１７の係合が外れ、飲み口６が下方向に移動可能となる。なお、フック１７が移動しても、フック１７の軸受部２６および飲み口６の外周フランジ６ａが栓本体５の内壁５ｃの下端に当接しているので、飲み口６は上方向に移動できない。摘み部２１を掴んだまま飲み口６を栓本体５に対して下方に下げる、あるいは栓本体５を飲み口６に対して上げると、フック１７が栓本体５の内周面に接触しながら飲み口６が移動し、飲み口６を栓本体５から外すことができる。
【００４７】
飲み口６を栓本体５に取り付けるとき、飲み口６を栓本体５の下方から差し込む。飲み口６のリブ２４をガイド溝２３に合わせて、飲み口６を栓本体５に対して上方向に移動させる。そうすると、フック１７が縦溝２２の下縁に当たって、フック１７が飲み口６に近づく半径方向内側に移動し、フック１７の頭部１７ａにあるガイド部１７ｅが栓本体５の内壁５ｃに接触しながら飲み口６が栓本体５に対して移動する。フック１７の頭部１７ａが縦溝２２の上縁に達すると、フック１７の軸受部２６が栓本体５の内壁５ｃの下縁に当接する。弾性片１８の弾性力によりフック１７が栓本体５の内壁５ｃ側に近づく方向に移動し、フック１７の段差部１７ｄが段部２５に引っ掛かり栓本体５に係合される。フック１７は弾性片１８によって栓本体５に押し付けられるので、飲み口６は、栓本体５に上下方向に移動できないように係止される。このとき、カチッと音がするので、飲み口６が係止されたことを認識することができる。なお、栓本体５を飲み口６に対して上方から差し込むことによっても、飲み口６を栓本体５に取り付けることができる。
【００４８】
このように、飲み口６の摘み部２１を掴んで栓本体５に対して移動させる動作により、飲み口６を栓本体５から取り外すことができる。そして、飲み口６を栓本体５に差し込むことにより、飲み口６を栓本体５に取り付けることができる。したがって、飲み口６の着脱を容易に行えるので、飲み口６の清掃を楽に行うことができる。また、飲み口６の交換が可能となり、飲み口６を他の飲料容器にも使用でき、使用者に合った飲み口６を提供することができる。
【００４９】
なお、本考案は、上記実施形態に限定されるものではなく、本発明の範囲内で上記実施形態に多くの修正および変更を加え得ることは勿論である。例えば、飲み口６の規制体１５を飲み口６の上縁から上方に突出するように設けてもよい。これにより、規制体１５を摘みやすくなる。また、規制体１５は支持１６周りに揺動する形態を示したが、これに限らず、フック１７を水平方向で出退可能な構成としてもよい。
【符号の説明】
【００５０】
１    容器本体
２    栓体
５    栓本体
６    飲み口
７    蓋
１３    ロック機構
１５    規制体
１７    フック
１８    弾性片
２１    摘み部
２２    縦溝
２５    段部
２６    阻止部
３３    ロック体
３４    操作レバー
３６    固定軸
４０    係止爪
４１    係止突起
４２    当接部
５０    取付軸
５１    収容部
５２    凹凸部
５３    円筒部
５５    小溝
５６    保持爪
５７    大溝
５８    規制ピン
５９    押圧部
【図１】
0003224167.tif 000003
【図２】
0003224167.tif 000004
【図３】
0003224167.tif 000005
【図４】
0003224167.tif 000006
【図５】
0003224167.tif 000007
【図６】
0003224167.tif 000008
【図７】
0003224167.tif 000009
【図８】
0003224167.tif 000010
【図９】
0003224167.tif 000011
【図１０】
0003224167.tif 000012
【図１１】
0003224167.tif 000013
【図１２】
0003224167.tif 000014
【図１３】
0003224167.tif 000015
【図１４】
0003224167.tif 000016
【図１５】
0003224167.tif 000017
【図１６】
0003224167.tif 000018
【図１７】
0003224167.tif 000019